(57)【要約】      （修正有）【課題】旅行用かばん等のキャリーバッグ胴部と、キャリーバッグ上に乗せた別のバッグ等の荷物をそれぞれ迅速確実に結束と結束はずしができ、名札を任意位置に取りつけられるようにした名札付き結束用ベルトを提供する。【解決手段】表面にループ面１１裏面にフック面１２を形成した両面ファスナーの一端部に通し環１３を取りつけた通し環付き第１帯状面ファスナー１０によりキャリーバッグ３０胴部３１を囲繞して着脱可能に接着して結束し、キャリーバッグ３０の胴部３１の上に乗せた別の荷物４０を把手３２に巻いた通し環付き両面ファスナーの第３帯状面ファスナー１０Ｃの結束したものを介して通し環付き両面ファスナーの第２帯状面ファスナー１０Ｄで囲繞し接着して着脱可能に結束し、名札２０又は２０Ｂ裏のフック面２２又は２２Ｂを前記各帯状面ファスナーのいずれかのループ面に着脱可能に接着して取りつけた名札付き結束用ベルト。【選択図】図４
2013094531.tif 000002
【特許請求の範囲】
【請求項１】
キャリーバッグの胴部に囲繞して着脱可能に結束できるようにした第１帯状面ファスナーであって、表面側にループ面を形成し、裏面側にフック面を形成し、一端部に通し環を取りつけたものと、表面側に名前面又はデザイン面を形成し、裏面側に面ファスナーのフック面を形成した名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束すると共に、前記第１帯状面ファスナーのループ面の任意の位置に、前記名札のフック面を着脱可能に接着したことを特徴とした名札付き結束用ベルト。
【請求項２】
前記キャリーバッグの胴部に囲繞して着脱可能に結束できるようにした前記第１帯状面ファスナーと、前記キャリーバッグの上に乗せた別の荷物の胴部に囲繞して着脱可能に結束できるようにした第２帯状面ファスナーであって、表面側にループ面を形成し、裏面側にフック面を形成し、一端部に通し環を取りつけたものと、前記キャリーバッグの把手に囲繞して着脱可能に結束できるようにした第３帯状面ファスナーであって、表面側にループ面を形成し、裏面側にフック面を形成し、一端部に通し環を取りつけたものと、１個又は複数個の前記名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束し、前記別の荷物を前記キャリーバッグの上部に乗せ、前記キャリーバッグの把手に、前記第３帯状面ファスナーをループ面が表側になるように囲繞して、前記第３帯状面ファスナーの他端部を、前記通し環に挿入したのち、前記一端部の通し環を一方の手で保持して、挿入した前記第３帯状面ファスナーの他端部を引張って、前記第３帯状面ファスナーのループ面に、前記第３帯状面ファスナーのフック面を着脱可能に結束したのち、前記第２帯状面ファスナーをフック面が内側になるように、前記別の荷物の胴部の表面と前記結束した第３帯状面ファスナーの外側又は内側に囲繞して、前記第２帯状面ファスナーの他端部を、前記一端部の通し環に挿入したのち、前記一方の通し環を一方の手で保持して、挿入した前記第２帯状面ファスナーの他端部を他方の手で引張って、前記第２帯状面ファスナーのループ面に、前記第２帯状面ファスナーのフック面を着脱可能に結束し、前記第１帯状面ファスナー、前記第２帯状面ファスナー又は前記第３帯状面ファスナーのループ面の任意の位置に、前記名札のフック面を着脱可能に接着したことを特徴とした名札付き結束用ベルト。
【請求項３】
前記通し環が、漢字の日の字状又は漢字の口の字状のリングから形成されたことを特徴とした請求項１又は２記載の名札付き結束用ベルト。
【請求項４】
前記名札の表面側のデザイン面が、形状、模様、色彩又はこれらの結合からなる物品が設けられたことを特徴とした請求項１、２又は３記載の名札付き結束用ベルト。  
【発明の詳細な説明】
【技術分野】
【０００１】  本発明は、キャリーバッグの胴部の結束や胴部の上に乗せた荷物の結束を着脱可能にできるようにすると共に、結束したベルトの表面の任意の位置に名札が取り付けられるようにした名札付き結束用ベルトに関する。
【背景技術】
【０００２】  従来例をスーツケースベルトに一例を挙げて説明すると、スーツケースベルトは、スーツケースが運搬時の衝撃などによって不用意に開くことを防止すると共に、名札を付けて自己のスーツケースを識別するための目印として使用されてきた。また、空港などでは、荷物の検査のため開錠してスーツケースを預けなければならない場合があって、スーツケースベルトは海外旅行の必需品となってきた。しかしながら、従来のスーツケースベルトには、長さ調節用のベルト金具と巻き締め用のベルト金具を備えたものがあったが、この種のものは、ベルト長さ調節と結束のためのベルト巻き締めやベルト開きに時間がかかる欠点があり、その上、名札がベルトの固定位置に取りつけられていたので、ベルトの締め方によっては見えにくくなり、名札の位置の変更ができない欠点があった。開閉施錠金具を備えたものは、その構造が複雑で、故障の場合応急処置ができにくく、また、高価につく欠点があった。  さらに、スーツケースが２輪又は４輪の走行用車輪を設けている場合は、別の荷物があるとき、スーツケースの上に乗せて走行したい要望があり、この場合、スーツケースの上に乗せて安定して走行できるようにする必要があった。
【先行技術文献】
【特許文献】
【０００３】
【特許文献１】特開２００２−１０１９４０号公報
【特許文献２】特開２００３−３２５２２３号公報
【特許文献３】特開２００７−１３５７６５号公報
【特許文献４】特許第４７９８５６８号公報
【発明の概要】
【発明が解決しようとする課題】
【０００４】  本発明は、キャリーバッグの胴部に簡単、迅速かつ着脱容易にベルト結束ができるようにした名札付き結束用ベルトを提供するものである。  また、本発明は、別の荷物をキャリーバッグの胴部の上に乗せて簡単、迅速かつ着脱容易にベルト結束して走行できるようにした名札付き結束用ベルトを提供するものである。  また、本発明は、ベルトをキャリーバッグの胴部や荷物に結束したのち、名札をベルトの任意の位置に簡単、迅速かつ着脱容易に取りつけることができるようにした名札付き結束用ベルトを提供するものである。  さらに、本発明は、構造簡単で、製作費安く、小型軽量な名札付き結束用ベルトを提供するものである。
【課題を解決するための手段】
【０００５】  本発明の名札付き結束用ベルトは、上記課題を達成するため、図示するように、請求項１の発明は、キャリーバッグの胴部に囲繞して着脱可能に結束できるようにした第１帯状面ファスナーであって、表面側にループ面を形成し、裏面側にフック面を形成し、一端部に通し環を取りつけたものと、表面側に名前面又はデザイン面を形成し、裏面側に面ファスナーのフック面を形成した名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束すると共に、前記第１帯状面ファスナーのループ面の任意の位置に、前記名札のフック面を着脱可能に接着したものである。  また、本発明の名札付き結束用ベルトは、上記課題を達成するため、図示するように、請求項２の発明は、前記キャリーバッグの胴部に囲繞して着脱可能に結束できるようにした前記第１帯状面ファスナーと、前記キャリーバッグの上に乗せた別の荷物の胴部に囲繞して着脱可能に結束できるようにした第２帯状面ファスナーであって、表面側にループ面を形成し、裏面側にフック面を形成し、一端部に通し環を取りつけたものと、前記キャリーバッグの把手に囲繞して着脱可能に結束できるようにした第３帯状面ファスナーであって、表面側にループ面を形成し、裏面側にフック面を形成し、一端部に通し環を取りつけたものと、１個又は複数個の前記名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束し、前記別の荷物を前記キャリーバッグの上部に乗せ、前記キャリーバッグの把手に、前記第３帯状面ファスナーをループ面が表側になるように囲繞して、前記第３帯状面ファスナーの他端部を、前記通し環に挿入したのち、前記一端部の通し環を一方の手で保持して、挿入した前記第３帯状面ファスナーの他端部を引張って、前記第３帯状面ファスナーのループ面に、前記第３帯状面ファスナーのフック面を着脱可能に結束したのち、前記第２帯状面ファスナーをフック面が内側になるように、前記別の荷物の胴部の表面と前記結束した第３帯状面ファスナーの外側又は内側に囲繞して、前記第２帯状面ファスナーの他端部を前記一端部の通し環に挿入したのち、前記一方の通し環を一方の手で保持して、挿入した前記第２帯状面ファスナーの他端部を他方の手で引張って、前記第２帯状面ファスナーのループ面に、前記第２帯状面ファスナーのフック面を着脱可能に結束し、前記第１帯状面ファスナー、前記第２帯状面ファスナー又は前記第３帯状面ファスナーのループ面の任意の位置に、前記名札のフック面を着脱可能に接着したものである。  また、本発明の名札付き結束用ベルトは、上記課題を達成するため、図示するように、請求項３の発明は、請求項１又は請求項２の発明において、前記通し環が、漢字の日の字状又は漢字の口の字状のリングから形成されたものである。  さらに、本発明の名札付き結束用ベルトは、上記課題を達成するため、図示するように、請求項４の発明は、請求項１、２又は請求項３の発明において、前記名札の表面側のデザイン面が、形状、模様、色彩又はこれらの結合からなる物品が設けられたものである。  本発明において、キャリーバッグは、２輪又は４輪の車輪を底部に設け、上部に伸縮把手を設けて、走行できるようにした旅行かばん、スーツケース、トランク等をいう。前記各帯状面ファスナーの一端部に取りつけた通し環は、（１）通し環に前記帯状面ファスナーの他端部を挿入して前記通し環を一方の手で保持しながら、前記帯状面ファスナーの他端部を他方の手で引張れば、結束しやすいこと、（２）結束する場合、前記帯状面ファスナーの他端部を、通し環を通して一たん折り返して強く引張ったのち、フック面を戻してループ面に接着すればより強く結束されること、（３）通し環を取りつけることにより、結束するときに、裏側に隠れた帯状面ファスナーの一端部が見えやすくなること、（４）万一帯状面ファスナーの結束が緩んでも通し環を通った他端側に名札を接着していれば通し環から他端側が抜けてはずれることがないなどの理由による。名札の名前面は、氏名又は名称、住所又は居所、電話等が記載され、デザイン面は、平面デザイン物品、立体デザイン物品等が形成される。
【発明の効果】
【０００６】  本発明によれば、キャリーバッグの胴部や、キャリーバッグ胴部の上部に乗せた別の荷物が、簡単、迅速かつ着脱容易に強く結束されると共に、また、名札は、ベルトの任意の位置に即座に着脱容易に取りつけることができ、極めて便利である。
【図面の簡単な説明】
【０００７】
【図１−１】本発明の実施例を示す使用状態の説明図である。
【図１−２】図１−１の第１帯状面ファスナーの拡大説明図である。
【図１−３】図１−１に使用した第１帯状面ファスナーの別の実施例を示す拡大説明図である。
【図２】図１−１の名札の裏面のフック面を示す説明図である。
【図３】名札の別の実施例を示す説明図である。
【図４】本発明の別の実施例を示す使用状態の説明図である。
【図５−１】図４の把手を、通し環を介して結束した第３帯状面ファスナーの使用状態の拡大説明図である。
【図５−２】図４の把手を別の通し環を介して結束した第３帯状面ファスナーの使用状態の拡大説明図である。
【発明を実施するための最良の形態】
【０００８】  本発明名札付き結束用ベルトを実施するための形態が実施例１及び２に示されている
【実施例１】
【０００９】  本発明の実施例１が図１−１乃至図３に示されている。実施例１の名札付き結束用ベルトは、第１帯状面ファスナー１０と名札２０とからなる。  第１帯状面ファスナー１０は、表面側にループ面１１を形成し、裏面側にループ面１１に対応するフック面１２を形成し、一端部に通し環１３又は１３Ｂを取りつけている。通し環１３は、図１−２に示すように、漢字日の字状のリングで口１３１と口１３２とがあるが、第１帯状面ファスナー１０の他端部が、通し環１３の口１３２に挿入される。別の実施例の通し環１３Ｂの場合は、漢字口の字状のリングで、１個の口１３１Ｂに第１帯状面ファスナー１０の他端部が挿入される点が相違する。１００はカシメ金具である。  名札２０は、表面側に名前面２１、裏面側にフック面２２を設けて、フック面２２は第１帯状面ファスナー１０のループ面１１に着脱可能に接着できるように形成されている。  従って、第１帯状面ファスナー１０の裏面のフック面１２をキャリーバッグ３０の胴部３１に囲繞して、一端部に取りつけた通し環１３又は１３Ｂに面ファスナー１０の他端部を挿入したのち、第１帯状面ファスナー１０の一端部の通し環１３又は１３Ｂを一方の手で保持し、他方の手により面ファスナー１０の他端部のフック面１２を引張ってループ面１１に重なるように接着して結束するか、或は他方の手により第１帯状面ファスナー１０の他端部を一端部に取りつけた通し環１３を通したのち、折り返して締め付けてから戻して、面ファスナー１０のフック面１２をループ面１１に重ねるように接着すれば、キャリーバッグ３０の胴部３１は着脱可能に強く結束されることになる。名札２０は、裏面のフック面２２を面ファスナー１０のループ面１１の任意の位置に着脱可能に接着すればよい。名札２０の代りに、図３に示すように、表側にデザイン物品を設けたデザイン面２１Ｂ、裏側に、第１帯状面ファスナー１０のループ面１１に着脱可能に接着するフック面２２Ｂを設けた名札２０Ｂを使用してもよい。
【実施例２】
【００１０】  本発明の実施例２が図４、図５−１及び図５−２に示されている。実施例２の名札付き結束用ベルトは、第３帯状面ファスナー１０Ｃと第２帯状面ファスナー１０Ｄと第１帯状面ファスナー１０と２個の名札２０からなっている。  第３帯状面ファスナー１０Ｃは、表面側にループ面１１Ｃ、裏面側にフック面１２Ｃを形成し、一端部に通し環１３又は１３Ｂを取りつけたものからなり、キャリーバッグ３０の把手３２に、面ファスナー１０Ｃのループ面１１Ｃが把手３２の表面側にくるように囲繞されて、図５−１又は図５−２に示すように、第３帯状面ファスナー１０Ｃの一端部の通し環１３又は１３Ｂに、第３帯状面ファスナー１０Ｃの他端部が挿入されたのち、通し環１３又は１３Ｂを一方の手で保持して、挿入した前記第３帯状面ファスナー１０Ｃの他端部を他方の手で引張ってループ面１１Ｃがフック面１２Ｃに重なるように接着して着脱可能に結束する。第２帯状面ファスナー１０Ｄは、表面側にループ面１１Ｄ、裏面側にフック面１２Ｄが形成され、一端部に通し環１３又は１３Ｂが取りつけられている。第２帯状面ファスナー１０Ｄは、キャリーバッグ３０の上部にのせられたバッグ等の荷物４０の胴部４１と、把手３２に結束された第３帯状面ファスナー１０Ｃの外側１０Ｄ（１）又は内側１０Ｄ（２）を囲繞するように巻いて、通し環１３の口１３２又は１３Ｂの口１３１Ｂを通したのち、折り返して引張って締めてから戻してループ面１１Ｄにフック面１２Ｄを重ね合わすように接着して着脱可能に強く結束する。  第１帯状面ファスナー１０は、実施例１の帯状面ファスナー１０と同一のもので、詳細説明は省略する。  名札２０は、実施例１の名札２０と同一のもので、詳細説明は省略する。  従って、荷物４０をキャリーバッグ３０の上にのせて走行したいときは、把手３２に第３帯状面ファスナー１０Ｃを結束したのち、キャリーバッグ３０の上にのせた荷物４０と、結束した第３帯状面ファスナー１０Ｃとを、第２帯状面ファスナー１０Ｄで囲繞して結束し、またキャリーバッグ３０の胴部３１に第１帯状面ファスナー１０を結束したのち、名札２０を第２帯状面ファスナー１０Ｄのループ面１１Ｄ及び第１帯状面ファスナー１０のループ面１１のそろぞれの任意の位置に着脱可能に接着してキャリーバッグ３０を把手３２を持って走行すればよい。
【産業上の利用可能性】
【００１１】  本発明品は、小型、軽量、製作容易で安価に量産できる。
【符号の説明】
【００１２】  １０、１０Ｃ、１０Ｄ      帯状の面ファスナー  １１、１１Ｃ、１１Ｄ      ループ面  １２、１２Ｃ、１２Ｄ              フック面  １３、１３Ｂ                      通し環  ２０、２０Ｂ                      名札  ２１                              名前面  ２１Ｂ                            デザイン面  ２２、２２Ｂ                      フック面 
【図１−１】
2013094531.tif 000003
【図１−２】
2013094531.tif 000004
【図１−３】
2013094531.tif 000005
【図２】
2013094531.tif 000006
【図３】
2013094531.tif 000007
【図４】
2013094531.tif 000008
【図５−１】
2013094531.tif 000009
【図５−２】
2013094531.tif 000010
【手続補正書】
【提出日】平成23年12月7日(2011.12.7)
【手続補正１】
【補正対象書類名】明細書
【補正対象項目名】０００３
【補正方法】変更
【補正の内容】
【０００３】
【特許文献１】特開２００２−１０１９４０号公報
【特許文献２】特開２００３−３２５２２３号公報
【特許文献３】特開２００７−１３５７６３号公報
【特許文献４】特許第４７９８５６８号公報
【手続補正２】
【補正対象書類名】明細書
【補正対象項目名】００１０
【補正方法】変更
【補正の内容】
【００１０】
本発明の実施例２が図４、図５−１及び図５−２に示されている。実施例２の名札付き結束用ベルトは、第３帯状面ファスナー１０Ｃと第２帯状面ファスナー１０Ｄと第１帯状面ファスナー１０と２個の名札２０からなっている。
第３帯状面ファスナー１０Ｃは、表面側にループ面１１Ｃ、裏面側にフック面１２Ｃを形成し、一端部に通し環１３又は１３Ｂを取りつけたものからなり、キャリーバッグ３０の把手３２に、面ファスナー１０Ｃのループ面１１Ｃが把手３２の表面側にくるように囲繞されて、図５−１又は図５−２に示すように、第３帯状面ファスナー１０Ｃの一端部の通し環１３又は１３Ｂに、第３帯状面ファスナー１０Ｃの他端部が挿入されたのち、通し環１３又は１３Ｂを一方の手で保持して、挿入した前記第３帯状面ファスナー１０Ｃの他端部を他方の手で引張ってループ面１１Ｃがフック面１２Ｃに重なるように接着して着脱可能に結束する。第２帯状面ファスナー１０Ｄは、表面側にループ面１１Ｄ、裏面側にフック面１２Ｄが形成され、一端部に通し環１３又は１３Ｂが取りつけられている。第２帯状面ファスナー１０Ｄは、キャリーバッグ３０の上部にのせられたバッグ等の荷物４０の胴部４１と、把手３２に結束された第３帯状面ファスナー１０Ｃに外側１０Ｄ（１）又は内側１０Ｄ（２）を囲繞するように巻いて、通し環１３の口１３２又は１３Ｂの口１３１Ｂを通したのち、折り返して引張って締めてから戻してループ面１１Ｄにフック面１２Ｄを重ね合わすように接着して着脱可能に強く結束する。
第１帯状面ファスナー１０は、実施例１の帯状面ファスナー１０と同一のもので、詳細説明は省略する。
名札２０は、実施例１の名札２０と同一のもので、詳細説明は省略する。
従って、荷物４０をキャリーバッグ３０の上にのせて走行したいときは、把手３２に第３帯状面ファスナー１０Ｃを結束したのち、キャリーバッグ３０の上にのせた荷物４０と、結束した第３帯状面ファスナー１０Ｃとを、第２帯状面ファスナー１０Ｄで囲繞して結束し、またキャリーバッグ３０の胴部３１に第１帯状面ファスナー１０を結束したのち、名札２０を第２帯状面ファスナー１０Ｄのループ面１１Ｄ及び第１帯状面ファスナー１０のループ面１１のそろぞれの任意の位置に着脱可能に接着してキャリーバッグ３０を把手３２を持って走行すればよい。
【手続補正書】
【提出日】平成24年5月7日(2012.5.7)
【手続補正１】
【補正対象書類名】明細書
【補正対象項目名】全文
【補正方法】変更
【補正の内容】
【発明の詳細な説明】
【技術分野】
【０００１】
本発明は、キャリーバッグの胴部の結束や、胴部の上に乗せた荷物の結束をそれぞれ着脱可能にできるようにすると共に、結束したベルトの表面の任意の位置に名札が着脱可能に取り付けられるようにした名札付き結束用ベルトに関する。
【背景技術】
【０００２】
従来例をスーツケースベルトに一例を挙げて説明すると、スーツケースベルトは、スーツケースが運搬時の衝撃などによって不用意に開くことを防止すると共に、名札を付けて自己のスーツケースを識別するための目印として使用されてきた。また、空港などでは、荷物の検査のため開錠してスーツケースを預けなければならない場合があって、スーツケースベルトは海外旅行の必需品となってきた。しかしながら、従来のスーツケースベルトには、長さ調節用のベルト金具と巻き締め用のベルト金具を備えたものがあったが、この種のものは、ベルト長さ調節と結束のためのベルト巻き締めやベルト開きに時間がかかる欠点があり、その上、名札がベルトの固定位置に取りつけられていたので、ベルトの締め方によっては見えにくくなり、名札の位置の変更ができない欠点があった。開閉施錠金具を備えたものは、その構造が複雑で、故障の場合応急処置ができにくく、また、高価につく欠点があった。
さらに、スーツケースが２輪又は４輪の走行用車輪を設けている場合は、別の荷物があるとき、スーツケースの上に乗せて走行したい要望があり、この場合、スーツケースの上に乗せて安定して走行できるようにする必要があった。
【先行技術文献】
【特許文献】
【０００３】
【特許文献１】特開２００２−１０１９４０号公報
【特許文献２】特開２００３−３２５２２３号公報
【特許文献３】特開２００７−１３５７６３号公報
【特許文献４】特許第４７９８５６８号公報
【発明の概要】
【発明が解決しようとする課題】
【０００４】
本発明は、キャリーバッグの胴部に簡単、迅速かつ着脱容易にベルト結束ができるようにした名札付き結束用ベルトを提供するものである。
また、本発明は、別の荷物をキャリーバッグの胴部の上に乗せて簡単、迅速かつ着脱容易にベルト結束して走行できるようにした名札付き結束用ベルトを提供するものである。
また、本発明は、ベルトをキャリーバッグの胴部や荷物に結束したのち、名札をベルトの任意の位置に簡単、迅速かつ着脱容易に取りつけることができるようにした名札付き結束用ベルトを提供するものである。
さらに、本発明は、構造簡単で、製作費安く、小型軽量な名札付き結束用ベルトを提供するものである。
【課題を解決するための手段】
【０００５】
本発明の名札付き結束用ベルトは、上記課題を達成するため、図示するように、請求項１の発明は、キャリーバッグの胴部に囲繞して着脱可能に結束できるようにした第１帯状面ファスナーであって、表面側にループ面を形成し、裏面側にフック面を形成し、一端部に通し環を取りつけたものと、表面側に名前面又はデザイン面を形成し、裏面側に面ファスナーのフック面を形成した名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束すると共に、前記第１帯状面ファスナーのループ面の任意の位置に、前記名札のフック面を着脱可能に接着したものである。
また、本発明の名札付き結束用ベルトは、上記課題を達成するため、図示するように、請求項２の発明は、キャリーバッグの胴部に囲繞して着脱可能に結束できるようにした第１帯状面ファスナーであって、表面側にループ面を形成し、裏面側にフック面を形成し、一端部に通し環を取りつけたものと、前記キャリーバッグの上に乗せた別の荷物の胴部に囲繞して着脱可能に結束できるようにした第２帯状面ファスナーであって、表面側にループ面を形成し、裏面側にフック面を形成し、一端部に通し環を取りつけたものと、前記キャリーバッグの把手に囲繞して着脱可能に結束できるようにした第３帯状面ファスナーであって、表面側にループ面を形成し、裏面側にフック面を形成し、一端部に通し環を取りつけたものと、１個又は複数個の表面側に名前面又はデザイン面を形成し、裏面側に面ファスナーのフック面を形成した名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束し、前記別の荷物を前記キャリーバッグの上部に乗せ、前記キャリーバッグの把手に、前記第３帯状面ファスナーをループ面が表側になるように囲繞して、前記第３帯状面ファスナーの他端部を、前記通し環に挿入したのち、前記一端部の通し環を一方の手で保持して、挿入した前記第３帯状面ファスナーの他端部を引張って、前記第３帯状面ファスナーのループ面に、前記第３帯状面ファスナーのフック面を着脱可能に結束したのち、前記第２帯状面ファスナーをフック面が内側になるように、前記別の荷物の胴部の表面と前記結束した第３帯状面ファスナーの外側又は内側に囲繞して、前記第２帯状面ファスナーの他端部を、前記一端部の通し環に挿入したのち、前記一方の通し環を一方の手で保持して、挿入した前記第２帯状面ファスナーの他端部を他方の手で引張って、前記第２帯状面ファスナーのループ面に、前記第２帯状面ファスナーのフック面を着脱可能に結束し、前記第１帯状面ファスナー、前記第２帯状面ファスナー又は前記第３帯状面ファスナーのループ面の任意の位置に、前記名札のフック面を着脱可能に接着したものである。
また、本発明の名札付き結束用ベルトは、上記課題を達成するため、図示するように、請求項３の発明は、請求項１又は請求項２の発明において、前記第１帯状面ファスナー、前記第２帯状面ファスナー又は前記第３帯状面ファスナーの各通し環が、漢字の日の字状又は漢字の口の字状のリングから形成されたものである。
さらに、本発明の名札付き結束用ベルトは、上記課題を達成するため、図示するように、請求項４の発明は、請求項１、２又は請求項３の発明において、前記名札の表面側のデザイン面が、形状、模様、色彩又はこれらの結合からなる物品が設けられたものである。
本発明において、キャリーバッグは、２輪又は４輪の車輪を底部に設け、上部に伸縮把手を設けて、走行できるようにした旅行かばん、スーツケース、トランク等をいう。
各帯状面ファスナーの一端部に取りつけた通し環は、（１）通し環に前記帯状面ファスナーの他端部を挿入して前記通し環を一方の手で保持しながら、前記帯状面ファスナーの他端部を他方の手で引張れば、結束しやすいこと、（２）結束する場合、前記帯状面ファスナーの他端部を、通し環を通して一たん折り返して強く引張ったのち、フック面を戻してループ面に接着すればより強く結束されること、（３）通し環を取りつけることにより、結束するときに、裏側に隠れた帯状面ファスナーの一端部が見えやすくなること、（４）万一帯状面ファスナーの結束が緩んでも通し環を通った他端側に名札を接着していれば通し環から他端側が抜けてはずれることがないなどの理由による。
名札の名前面は、氏名又は名称、住所又は居所、電話等が記載され、デザイン面は、平面デザイン物品、立体デザイン物品等が形成される。
【発明の効果】
【０００６】
本発明によれば、キャリーバッグの胴部や、キャリーバッグ胴部の上部に乗せた別の荷物が、簡単、迅速かつ着脱容易に強く結束されると共に、また、名札は、ベルトの任意の位置に即座に着脱容易に取りつけることができ、極めて便利である。
【図面の簡単な説明】
【０００７】
【図１−１】本発明の実施例を示す使用状態の説明図である。
【図１−２】図１−１の第１帯状面ファスナーの拡大説明図である。
【図１−３】図１−１に使用した第１帯状面ファスナーの別の実施例を示す拡大説明図である。
【図２】図１−１の名札の裏面のフック面を示す説明図である。
【図３】名札の別の実施例を示す説明図である。
【図４】本発明の別の実施例を示す使用状態の説明図である。
【図５−１】図４の把手を、通し環を介して結束した第３帯状面ファスナーの使用状態の拡大説明図である。
【図５−２】図４の把手を別の通し環を介して結束した第３帯状面ファスナーの使用状態の拡大説明図である。
【発明を実施するための最良の形態】
【０００８】
本発明名札付き結束用ベルトを実施するための形態が実施例１及び２に示されている
【実施例１】
【０００９】
本発明の実施例１が図１−１乃至図３に示されている。実施例１の名札付き結束用ベルトは、第１帯状面ファスナー１０と名札２０とからなる。
第１帯状面ファスナー１０は、表面側にループ面１１を形成し、裏面側にループ面１１に対応するフック面１２を形成し、一端部に通し環１３又は１３Ｂを取りつけている。通し環１３は、図１−２に示すように、漢字日の字状のリングで口１３１と口１３２とがあるが、第１帯状面ファスナー１０の他端部が、通し環１３の口１３２に挿入される。別の実施例の通し環１３Ｂの場合は、漢字口の字状のリングで、１個の口１３１Ｂに第１帯状面ファスナー１０の他端部が挿入される点が相違する。１００はカシメ金具である。
名札２０は、表面側に名前面２１、裏面側にフック面２２を設けて、フック面２２は第１帯状面ファスナー１０のループ面１１に着脱可能に接着できるように形成されている。
従って、第１帯状面ファスナー１０の裏面のフック面１２をキャリーバッグ３０の胴部３１に囲繞して、一端部に取りつけた通し環１３又は１３Ｂに面ファスナー１０の他端部を挿入したのち、第１帯状面ファスナー１０の一端部の通し環１３又は１３Ｂを一方の手で保持し、他方の手により面ファスナー１０の他端部のフック面１２を引張ってループ面１１に重なるように接着して結束するか、或は他方の手により第１帯状面ファスナー１０の他端部を一端部に取りつけた通し環１３を通したのち、折り返して締め付けてから戻して、面ファスナー１０のフック面１２をループ面１１に重ねるように接着すれば、キャリーバッグ３０の胴部３１は着脱可能に強く結束されることになる。名札２０は、裏面のフック面２２を面ファスナー１０のループ面１１の任意の位置に着脱可能に接着すればよい。名札２０の代りに、図３に示すように、表側に形状、模様、色彩又はこれらの結合からなる物品を設けたデザイン面２１Ｂ、裏側に、第１帯状面ファスナー１０のループ面１１に着脱可能に接着するフック面２２Ｂを設けた名札２０Ｂを使用してもよい。
【実施例２】
【００１０】
本発明の実施例２が図４、図５−１及び図５−２に示されている。実施例２の名札付き結束用ベルトは、第３帯状面ファスナー１０Ｃと第２帯状面ファスナー１０Ｄと第１帯状面ファスナー１０と２個の名札２０からなっている。
第３帯状面ファスナー１０Ｃは、表面側にループ面１１Ｃ、裏面側にフック面１２Ｃを形成し、一端部に通し環１３又は１３Ｂを取りつけたものからなり、キャリーバッグ３０の把手３２に、面ファスナー１０Ｃのループ面１１Ｃが把手３２の表面側にくるように囲繞されて、図５−１又は図５−２に示すように、第３帯状面ファスナー１０Ｃの一端部の通し環１３又は１３Ｂに、第３帯状面ファスナー１０Ｃの他端部が挿入されたのち、通し環１３又は１３Ｂを一方の手で保持して、挿入した前記第３帯状面ファスナー１０Ｃの他端部を他方の手で引張ってループ面１１Ｃがフック面１２Ｃに重なるように接着して着脱可能に結束する。第２帯状面ファスナー１０Ｄは、表面側にループ面１１Ｄ、裏面側にフック面１２Ｄが形成され、一端部に通し環１３又は１３Ｂが取りつけられている。第２帯状面ファスナー１０Ｄは、キャリーバッグ３０の上部にのせられたバッグ等の荷物４０の胴部４１と、把手３２に結束された第３帯状面ファスナー１０Ｃの外側１０Ｄ（１）又は内側１０Ｄ（２）を囲繞するように巻いて、通し環１３の口１３２又は１３Ｂの口１３１Ｂを通したのち、折り返して引張って締めてから戻してループ面１１Ｄにフック面１２Ｄを重ね合わすように接着して着脱可能に強く結束する。
第１帯状面ファスナー１０は、実施例１の帯状面ファスナー１０と同一のもので、詳細説明は省略する。
名札２０は、実施例１の名札２０と同一のもので、詳細説明は省略する。
従って、荷物４０をキャリーバッグ３０の上にのせて走行したいときは、把手３２に第３帯状面ファスナー１０Ｃを結束したのち、キャリーバッグ３０の上にのせた荷物４０と、結束した第３帯状面ファスナー１０Ｃとを、第２帯状面ファスナー１０Ｄで囲繞して結束し、またキャリーバッグ３０の胴部３１に第１帯状面ファスナー１０を結束したのち、名札２０を第２帯状面ファスナー１０Ｄのループ面１１Ｄ及び第１帯状面ファスナー１０のループ面１１のそろぞれの任意の位置に着脱可能に接着してキャリーバッグ３０を把手３２を持って走行すればよい。
【産業上の利用可能性】
【００１１】
本発明品は、小型、軽量、製作容易で安価に量産できる。
【符号の説明】
【００１２】
１０、１０Ｃ、１０Ｄ      帯状の面ファスナー
１１、１１Ｃ、１１Ｄ      ループ面
１２、１２Ｃ、１２Ｄ              フック面
１３、１３Ｂ                      通し環
２０、２０Ｂ                      名札
２１                              名前面
２１Ｂ                            デザイン面
２２、２２Ｂ                      フック面
３０                              キャリーバッグ
３１                              キャリーバッグ胴部
３２                              キャリーバッグ把手
４０                              荷物
【手続補正２】
【補正対象書類名】特許請求の範囲
【補正対象項目名】全文
【補正方法】変更
【補正の内容】
【特許請求の範囲】
【請求項１】
キャリーバッグの胴部に囲繞して着脱可能に結束できるようにした第１帯状面ファスナーであって、表面側にループ面を形成し、裏面側にフック面を形成し、一端部に通し環を取りつけたものと、表面側に名前面又はデザイン面を形成し、裏面側に面ファスナーのフック面を形成した名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束すると共に、前記第１帯状面ファスナーのループ面の任意の位置に、前記名札のフック面を着脱可能に接着したことを特徴とした名札付き結束用ベルト。
【請求項２】
キャリーバッグの胴部に囲繞して着脱可能に結束できるようにした第１帯状面ファスナーであって、表面側にループ面を形成し、裏面側にフック面を形成し、一端部に通し環を取りつけたものと、前記キャリーバッグの上に乗せた別の荷物の胴部に囲繞して着脱可能に結束できるようにした第２帯状面ファスナーであって、表面側にループ面を形成し、裏面側にフック面を形成し、一端部に通し環を取りつけたものと、前記キャリーバッグの把手に囲繞して着脱可能に結束できるようにした第３帯状面ファスナーであって、表面側にループ面を形成し、裏面側にフック面を形成し、一端部に通し環を取りつけたものと、１個又は複数個の表面側に名前面又はデザイン面を形成し、裏面側に面ファスナーのフック面を形成した名札とからなり、前記第１帯状面ファスナーのフック面を、前記キャリーバッグの胴部の表面に囲繞して、前記第１帯状面ファスナーの他端部を、前記一端部の通し環に挿入したのち、前記一端部の通し環を一方の手で保持して、挿入した前記第１帯状面ファスナーの他端部を他方の手で引張って、前記第１帯状面ファスナーのループ面に、前記第１帯状面ファスナーのフック面を着脱可能に結束し、前記別の荷物を前記キャリーバッグの上部に乗せ、前記キャリーバッグの把手に、前記第３帯状面ファスナーをループ面が表側になるように囲繞して、前記第３帯状面ファスナーの他端部を、前記通し環に挿入したのち、前記一端部の通し環を一方の手で保持して、挿入した前記第３帯状面ファスナーの他端部を引張って、前記第３帯状面ファスナーのループ面に、前記第３帯状面ファスナーのフック面を着脱可能に結束したのち、前記第２帯状面ファスナーをフック面が内側になるように、前記別の荷物の胴部の表面と前記結束した第３帯状面ファスナーの外側又は内側に囲繞して、前記第２帯状面ファスナーの他端部を、前記一端部の通し環に挿入したのち、前記一方の通し環を一方の手で保持して、挿入した前記第２帯状面ファスナーの他端部を他方の手で引張って、前記第２帯状面ファスナーのループ面に、前記第２帯状面ファスナーのフック面を着脱可能に結束し、前記第１帯状面ファスナー、前記第２帯状面ファスナー又は前記第３帯状面ファスナーのループ面の任意の位置に、前記名札のフック面を着脱可能に接着したことを特徴とした名札付き結束用ベルト。
【請求項３】
前記第１帯状面ファスナー、前記第２帯状面ファスナー又は前記第３帯状面ファスナーの各通し環が、漢字の日の字状又は漢字の口の字状のリングから形成されたことを特徴とした請求項１又は２記載の名札付き結束用ベルト。
【請求項４】
前記名札の表面側のデザイン面が、形状、模様、色彩又はこれらの結合からなる物品が設けられたことを特徴とした請求項１、２又は３記載の名札付き結束用ベルト。